(57)【特許請求の範囲】
【請求項１】
上下方向のパスラインを左右から挟むように一対の塗布ロールを配置し、該両塗布ロールの上方部に設置した給液ヘッドに塗工液供給源から塗工液供給管を介して塗工液を供給するようにし、該各給液ヘッドからそれぞれ塗布ロールの表面へ塗工液をカーテン状に流下させ、上記パスラインを通る原紙の両面に上記両塗布ロール上の塗工液を塗布するようにしてある塗工装置において、上記塗工液供給源から供給されてくる塗工液中に微小気泡を混入させるため上記塗工液供給管の途中に気泡発生装置を介在設置し、該気泡発生装置から気泡が混入した塗工液を、上記塗工液供給管を通して上記給液ヘッドへ供給して流下させるようにした構成を有することを特徴とする塗工装置。
【請求項２】
水平方向のパスラインに沿って移動する原紙の上方位置に設置した給液ヘッドに塗工液供給源から塗工液供給管を介して塗工液が供給されるようにし、該給液ヘッドからカーテン状に流下させられる塗工液を、上記原紙の表面に塗布するようにしてある塗工装置において、上記塗工液供給源から供給されてくる塗工液中に微小気泡を混入させるため上記塗工液供給管の途中に気泡発生装置を介在設置し、該気泡発生装置から気泡が混入した塗工液を、上記塗工液供給管を通して上記給液ヘッドへ供給して流下させるようにし、且つ上記パスラインの塗工液流下位置よりも下流側位置に、パスラインを上下から挟むように一対のスムージングロールを配置した構成を有することを特徴とする塗工装置。
【発明の詳細な説明】
【０００１】
【発明の属する技術分野】
本発明は製紙工場において製造された原紙に塗工液を塗布して塗被加工を施すための塗工装置に関するものである。
【０００２】
【従来の技術】
製紙工場で製造された紙はそのままの形で直ちに使用されることは少なく、それを原紙として更に加工を施すことにより所要の目的に適合する製品としての加工紙とする場合が多い。加工紙には種々のものがあるが、その一つに、塗被加工紙がある。塗被加工紙は、紙の表面の性質を改善する目的で紙の表面に塗工液を塗布させて製造するもので、その装置として塗工装置がある。
【０００３】
塗工装置の一つとして、カーテンコータ形式の塗工装置があるが、このカーテンコータ形式の塗工装置には、塗工液をカーテン状にロール上に流下させて該ロールを介して原紙表面に塗布させるものとか、塗工液をカーテン状に原紙表面に流下させて塗布させるものとかがあるが、図３はその一例として前者のものについて示すもので、原紙１を走行させる上下方向のパスラインを左右から挟むように水平且つ平行に配置された一対の塗布ロール２の各上方位置に、塗工液吐出口となるスリットノズル３を下部に備えた給液ヘッド４を、上記塗布ロール２の表面に非接触となる状態で平行に設置し、塗工液供給源５から塗工液供給管７を通して送給される塗工液６を、分岐管７ａ，７ｂを通してそれぞれ給液ヘッド４に導き、給液ヘッド４のスリットノズル３を通して薄膜カーテン状に一様に流下させて、塗布ロール２上に移し、更に該塗布ロール２間を通過する原紙１の表裏両面に塗布ロール２表面の塗工液６を塗布するようにしてあり、この際、塗工液供給管７のバルブ８の開閉により塗工液６の供給、停止を行うことができるようにすると共に、分岐管７ａ，７ｂのバルブ８ａ，８ｂの開閉により２つの給液ヘッド４からの塗工液６の吐出流量を調整してバランスさせるようにしてある。
【０００４】
【発明が解決しようとする課題】
ところが、上記塗工装置の場合、塗工液６によるカーテンの形成が、塗工液６の液性（粘性）、流量、スリットノズル３の幅に依存しているので、安定したカーテンを形成させるようにすると、塗工液６の流量、濃度に制約を受けることになり、そのため、従来では、少量塗工で済むような製品への適用が困難であり、取り扱える製品の種類が限定される問題がある。
【０００５】
すなわち、少量塗工を実施するためには、塗工液６の濃度を薄くするか、吐出流量を少なくする必要があるが、濃度を薄くすると、下流の乾燥工程での乾燥能力に支障を来すことになり、又、吐出流量を単に少なくすると、カーテン形成が不安定になる問題がある。
【０００６】
そこで、本発明は、塗工液カーテンの安定形成を維持しつつ少量塗工を行うことができるようにして、取り扱える製品の種類を増やすことができるようにしようとするものである。
【０００７】
【課題を解決するための手段】
本発明は、上記課題を解決するために、上下方向のパスラインを左右から挟むように一対の塗布ロールを配置し、該両塗布ロールの上方部に設置した給液ヘッドに塗工液供給源から塗工液供給管を介して塗工液を供給するようにし、該各給液ヘッドからそれぞれ塗布ロールの表面へ塗工液をカーテン状に流下させ、上記パスラインを通る原紙の両面に上記両塗布ロール上の塗工液を塗布するようにしてある塗工装置において、上記塗工液供給源から供給されてくる塗工液中に微小気泡を混入させるため上記塗工液供給管の途中に気泡発生装置を介在設置し、該気泡発生装置から気泡が混入した塗工液を、上記塗工液供給管を通して上記給液ヘッドへ供給して流下させるようにした構成とする。
【０００８】
気泡発生装置にて微小気泡を混入させた塗工液を給液ヘッドから吐出させると、見掛けの吐出流量を増やすことができるようになるため、塗工液カーテンの安定形成を維持しつつ実質的な吐出流量を減らすことができて、少量塗工を行うことができるようになる。又、塗工液中の微小気泡は原紙が塗布ロール間のニップを通過するときに除去される。
【０００９】
一方、水平方向のパスラインに沿って移動する原紙の上方位置に設置した給液ヘッドに塗工液供給源から塗工液供給管を介して塗工液が供給されるようにし、該給液ヘッドからカーテン状に流下させられる塗工液を、上記原紙の表面に塗布するようにしてある塗工装置において、上記塗工液供給源から供給されてくる塗工液中に微小気泡を混入させるため上記塗工液供給管の途中に気泡発生装置を介在設置し、該気泡発生装置から気泡が混入した塗工液を、上記塗工液供給管を通して上記給液ヘッドへ供給して流下させるようにし、且つ上記パスラインの塗工液流下位置よりも下流側位置に、パスラインを上下から挟むように一対のスムージングロールを配置した構成としても、少量塗工が可能となり、微小気泡は、原紙がスムージングロールの間を通過するときに除去される。
【００１０】
【発明の実施の形態】
以下、本発明の実施の形態を図面を参照して説明する。
【００１１】
図１は本発明の実施の一形態を示すもので、図３に示したと同様な構成としてある塗工装置において、塗工液供給管７の途中に、塗工液６中に微小（微細）気泡９を混入させるようにする気泡発生装置１０を介在設置し、該気泡発生装置１０から給液ヘッド４に気泡が混入した塗工液６を供給するようにして、給液ヘッド４のスリットノズル３から吐出させる塗工液６の見掛けの吐出流量が増加させられるようにする。
【００１２】
上記気泡発生装置１０は、図１に一例を示す如く、上部から流入させた塗工液６を一定レベル貯留して底部から流出させるようにしたタンク１１と、該タンク１１外に設置したモータ１２の駆動によりタンク１１内で回転させられるようにした羽根１３とを有してなり、該羽根１３を、表裏両面にフィン１４を適宜な配置で取り付けた構造として半没液状態となるように配置した構成としてある。
【００１３】
図中１５は塗布ロール２の表面に接触配置したドクターブレードを示す。
【００１４】
原紙１に少量塗工を行う場合には、塗工液供給管７の途中に介在させてある気泡発生装置１０により塗工液６中に微小気泡９を混入させるようにする。この場合、モータ１２の駆動で羽根１３を回転させると、該羽根１３が半没液状態に配置されているいため、タンク１１内において塗工液６中に空気が巻き込まれることにより、微小気泡９が発生させられる。なお、この際、羽根１３の表裏面にはフィン１４が取り付けてあるため、塗工液６中に空気を巻き込み易く、塗工液６中に効率よく微小気泡９を混入させることができる。
【００１５】
微小気泡９が混入した塗工液６を、塗工液供給管７及びその分岐管７ａ，７ｂを通して左右の給液ヘッド４に供給し、それぞれ塗布ロール２へ向けスリットノズル３から吐出させて流下させると、微小気泡９が混入している分だけ見掛けの吐出流量を増やすことができる。したがって、見掛けの吐出流量を、塗工液６のカーテンが乱れない程度まで絞ることにより、実質的に吐出流量を減らすことができて、少量塗工を行うことができる。すなわち、塗工液６の実質的な吐出流量を減らしても、見掛けの吐出流量を一定に保つことができるので、塗工液６のカーテンの安定形成を維持しつつ、従来では困難であった少量塗工を行うことができる。
【００１６】
塗布ロール２から原紙１に塗布された塗工液６中には、上述したように微小気泡９が混入しているが、該微小気泡９は、原紙１が左右の塗布ロール２のニップを通過する際に押し潰されることによって除去される。したがって、原紙１の表面に微小気泡９の跡が表われることはなく、製品品質に支障を及ぼすことはない。
【００１７】
上記において、塗工液６中への微小気泡９の混入量は気泡発生装置１０で調整することができるので、製品の種類に応じた流量での少量塗工が可能となる。そのため、取り扱い対象となる製品の種類を広げることができる。
【００１８】
次に、図２は他の型式の塗工装置への適用例を示すもので、水平方向のパスラインに沿って移動する原紙１の上方部位に給液ヘッド４を配置し、該給液ヘッド４のスリットノズル３から上記原紙１の表面へ向け塗工液６をカーテン状に流下させるようにしてある塗工装置において、塗工液供給源５から上記給液ヘッド４へ向かう塗工液供給管７の途中に、図１に示したと同様な構成としてある気泡発生装置１０を介在設置し、且つ上記パスラインの塗液流下位置よりも下流側位置に、パスラインを上下から挟むように一対のスムージングロール１６を配置したものである。
【００１９】
図２に示す塗工装置の場合には、原紙１の表面に塗布された塗工液６中の微小気泡９を、原紙１が上下のスムージングロール１６間を通過するときに該上下のスムージングロール１６によって除去することができる。
【００２０】
なお、本発明は、上記実施の形態にのみ限定されるものではなく、たとえば、気泡発生装置１０としては、図示し説明した以外の構造のものを採用してもよいこと、その他本発明の要旨を逸脱しない範囲内において種々変更を加え得ることは勿論である。
【００２１】
【発明の効果】
以上述べた如く、本発明によれば、次の如き優れた効果を発揮する。
(1) 上下方向のパスラインを左右から挟むように一対の塗布ロールを配置し、該両塗布ロールの上方部に設置した給液ヘッドに塗工液供給源から塗工液供給管を介して塗工液を供給するようにし、該各給液ヘッドからそれぞれ塗布ロールの表面へ塗工液をカーテン状に流下させ、上記パスラインを通る原紙の両面に上記両塗布ロール上の塗工液を塗布するようにしてある塗工装置において、上記塗工液供給源から供給されてくる塗工液中に微小気泡を混入させるため上記塗工液供給管の途中に気泡発生装置を介在設置し、該気泡発生装置から気泡が混入した塗工液を、上記塗工液供給管を通して上記給液ヘッドへ供給して流下させるようにした構成としてあるので、給液ヘッドから吐出させる塗工液に気泡発生装置にて微小気泡を混入させることができ、その結果、見掛けの吐出流量を増やすことができることにより、塗工液カーテンの安定形成を維持しつつ少量塗工を行うことができ、したがって、取り扱うことのできる製品の種類を増やすことができ、又、塗工液中の微小気泡は原紙への塗布時に塗布ロール間のニップを通過するときに除去できるので、製品品質に支障を来す虞はない。
(2) 水平方向のパスラインに沿って移動する原紙の上方位置に設置した給液ヘッドに塗工液供給源から塗工液供給管を介して塗工液が供給されるようにし、該給液ヘッドからカーテン状に流下させられる塗工液を、上記原紙の表面に塗布するようにしてある塗工装置において、上記塗工液供給源から供給されてくる塗工液中に微小気泡を混入させるため上記塗工液供給管の途中に気泡発生装置を介在設置し、該気泡発生装置から気泡が混入した塗工液を、上記塗工液供給管を通して上記給液ヘッドへ供給して流下させるようにし、且つ上記パスラインの塗工液流下位置よりも下流側位置に、パスラインを上下から挟むように一対のスムージングロールを配置した構成とすることにより、上記(1) 項記載の場合と同様に少量塗工が可能となり、又、塗工液中の微小気泡は下流のスムージングロールにて確実に除去することができる。
【図面の簡単な説明】
【図１】本発明の塗工装置の実施の一形態を示す概略図である。
【図２】他の型式への適用例を示す概略図である。
【図３】従来の塗工装置の一例を示す概略図である。
【符号の説明】
１  原紙
２  塗布ロール
４  給液ヘッド
５  塗工液供給源
６  塗工液
７  塗工液供給管
９  微小気泡
１０  気泡発生装置
１６  スムージングロール
【図１】
0003997587.tif 000002
【図２】
0003997587.tif 000003
【図３】
0003997587.tif 000004